(57)【特許請求の範囲】
【請求項１】
筒形状に形成された防護管の延在方向に切り込まれている割り部間を拡開させて、当該防護管内に電線を内装状態に挿入する際に使用する拡開補助具であって、
防護管の端部の開口側から差込可能に形成されている板状部材からなる差込部を具備しており、
該差込部は、防護管端部の開口内に差し込む先端側から後端側の延在方向に対して直交する方向に湾曲して、先端側から後端側まで、防護管の端部の開口における最大の内面間隔よりも大きく均等な外面間隔を有するように形成することによって、当該直交方向の断面形状が該防護管端部の開口よりも大径に形成されることにより当該開口径を拡大して割り部間を拡開させるとともに、該直交方向の断面形状に半円形以下の切欠部を有する不完全な円形になるように形成されていることを特徴とする拡開補助具。
【請求項２】
前記差込部の先端側と後端側のうち、少なくとも先端側の切欠部を画成するエッジ部を傾斜形状あるいはＲ形状に形成したことを特徴とする請求項１に記載の拡開補助具。
【請求項３】
前記差込部に連設されて把持可能に形成された把持部を備えて、
該把持部は、先端側から後端側の延在方向に対して屈曲していることを特徴とする請求項１または２に記載の拡開補助具。
【請求項４】
他の道具等に引っ掛ける手段を設けたことを特徴とする請求項１から３のいずれかに記載の拡開補助具。
【発明の詳細な説明】
【技術分野】
【０００１】
本発明は、拡開補助具に関し、詳しくは、大掛かりな装置を使用することができない箇所に架設されている電線を、防護管内に挿入する作業を行う際に使用するものに関する。
【背景技術】
【０００２】
従来より、工事などの作業中に、電線に触れて感電したり、電線自体を損傷してしまうことを防止するために、工事などを行う前に、触れるなどしてはいけない電線の存在を認識し易くして注意喚起するために、防護管を被せることが行われている。このような防護管を電線に装着する際には、防護管脱着装置を用いることが知られている。この防護管脱着装置は、作業者との間の絶縁性を確保しつつ、電力を供給している電線に防護管を装着する必要があることから、絶縁性の確保されている操作棒の先端に装置本体が取り付けられている（例えば、特許文献１、２参照）。
【先行技術文献】
【特許文献】
【０００３】
【特許文献１】特開２０００−１９７２２５号公報
【特許文献２】特開２００３−  ４７１１５号公報
【発明の概要】
【発明が解決しようとする課題】
【０００４】
このような防護管脱着装置にあっては、油圧モータを取り付けた大掛かりな装置であり、長い距離の電線を保護する必要がある場合に、その防護管を連結させつつ電線をその内部に挿入して内装状態にする際に主に使用される。
【０００５】
しかしながら、防護管内に挿入して保護する必要がある電線は、これに限らず、例えば、図１２に示すように、電柱１０１の上部に設置されたトランス１０２に接続した電線Ｄにも防護管を被せて保護することが必要な場合がある。このような場合にまで、大掛かりな防護管脱着装置を使用するのは大変であり、狭い作業スペースで使用できない場合もある。また、この電線Ｄは、防護管脱着装置のような重い装置の荷重を掛けると、断線等の虞がある。
【０００６】
このことから、電線Ｄに、例えば、図１３に示す簡易構造の防護管１０３を手作業により被せる場合がある。この場合、トランス１０２などに接続される電線Ｄにも高電圧が流れているので、電力供給を止めることができないときには、絶縁用保護具を着用する必要がある。しかし、絶縁用保護具を着用して作業するよりも、防護管脱着装置と同様に、遠隔位置から絶縁性を確保しつつ、その電線Ｄに防護管１０３を被せる作業を実現する方が望ましい。
【０００７】
ここで、防護管１０３は電線Ｄを挿入するための割り部１０５が外周面に切り込まれているが、その割り部１０５にはツバ１０７が形成されている。一方、トランス１０２の電線Ｄの長さは色々であることから、防護管１０３は任意の長さに切断して利用する。このため、防護管１０３の端部１０３ａの割り部１０５にもツバ１０７が存在しており、このツバ１０７を除くには大変な労力が必要であるとともに、除いてしまうと防護管１０３が風等により不用意に電線Ｄから外れてしまうという不都合が発生する虞がある。
【０００８】
このことから、ツバ１０７をそのままにして防護管１０３の端部１０３ａから電線Ｄを挿入させるためには、その割り部１０５のツバ１０７を押し分けて電線Ｄを防護管１０３内に進入させなければならない。このような防護管１０３の端部１０３ａでは、電線Ｄを進入させ難く、また、無理に進入させようとすると、電線Ｄに傷が付いてしまう、という課題がある。
【０００９】
要するに、遠隔位置から電線Ｄに防護管１０３を容易に被せる作業を実現する場合にも、その防護管１０３の端部１０３ａから電線Ｄをスムーズに進入させることも可能にする必要がある。
【００１０】
そこで、本発明は、電線を防護管内に挿入して内装させる作業を補助することにより、防護管を電線に被せる挿入作業を容易化することのできる拡開補助具を提供することを目的とする。
【課題を解決するための手段】
【００１１】
上記課題を解決する拡開補助具の発明は、筒形状に形成された防護管の延在方向に切り込まれている割り部間を拡開させて、当該防護管内に電線を内装状態に挿入する際に使用する拡開補助具であって、防護管の端部の開口側から差込可能に形成されている板状部材からなる差込部を具備しており、該差込部は、防護管端部の開口内に差し込む先端側から後端側の延在方向に対して直交する方向に湾曲して、当該直交方向の断面形状が該防護管端部の開口よりも大径に形成されることにより当該開口径を拡大して割り部間を拡開させるとともに、該直交方向の断面形状に半円形以下の切欠部を有する不完全な円形になるように形成されていることを特徴とするものである。
【００１２】
この発明の構成要素を分解あるいは追加・変更しても、上記課題の解決を達成することができる。
例えば、上記課題を解決する拡開補助具の第１の発明は、筒形状に形成された防護管の延在方向に切り込まれている割り部間を拡開させて、当該防護管内に電線を内装状態に挿入する際に使用する拡開補助具であって、防護管の端部の開口よりも大きく形成されて該開口内に差し込む板状部材からなる差込部を具備することを特徴とするものである。
【００１３】
この発明では、差込部を防護管端部の開口内に差し込むと、その差込部が防護管端部の開口よりも大きいために、差し込まれた部分の割り部間が離隔されて拡開される。したがって、防護管の端部の割り部間と差込部との間に画成される隙間（空間）に電線を位置させて、防護管内に電線を内装状態に挿入する作業を開始することができる。
【００１４】
上記課題を解決する拡開補助具の第２の発明は、上記第１の発明の特定事項に加え、前記差込部を、防護管の端部の開口よりも幅狭な先端側から徐々に拡大して該開口よりも幅広な後端側を有するように形成したことを特徴とするものである。
【００１５】
この発明では、差込部を先端側から防護管端部の開口内に差し込むと、その防護管は、端部の開口よりも幅広の後端側が差し込まれるに従って割り部間が離隔される。したがって、防護管端部の開口内に差込部をスムーズに差し込むことができ、例えば、離隔していて、作業する際に大きな力を発揮することのできない位置の防護管端部の割り部でも容易に拡開させることができる。
【００１６】
上記課題を解決する拡開補助具の第３の発明は、上記第２の発明の特定事項に加え、前記差込部を、先端側から後端側の延在方向に対して直交する方向に湾曲する円弧形状に形成したことを特徴とするものである。
【００１７】
この発明では、円弧形状の凹形状が割り部側に面するように差込部を防護管端部の開口内に差し込むことにより、その割り部と差込部の凹形状との間に、より大きな隙間が画成される。したがって、その隙間に電線をより容易に位置させることができ、挿入作業をより容易化することができる。
【００１８】
上記課題を解決する拡開補助具の第４の発明は、上記第２または第３の発明の特定事項に加え、前記差込部の後端側に、先端側からの延在方向に対して平行な側辺を形成したことを特徴とするものである。
【００１９】
この発明では、防護管端部の開口内に差込部を後端側まで差し込むと、平行な側辺がその防護管の内面に位置する。したがって、防護管端部の開口が閉まろうとする力により、差込部が離脱する方向に滑ってしまうことがなく、その差込部を防護管端部の開口内に留まらせることができる。
【００２０】
上記課題を解決する拡開補助具の第５の発明は、上記第１の発明の特定事項に加え、前記差込部を、先端側から後端側まで、防護管の端部の開口における最大の内面間隔よりも大きく均等な外面間隔を有するように形成したことを特徴とするものである。
【００２１】
この発明では、防護管端部の開口内に差込部を差し込むと、先端側から後端側まで平行な外面がその防護管の内面に位置する。したがって、防護管端部の開口が閉まろうとする力により、差込部が離脱する方向に滑ってしまうことがなく、その差込部を防護管端部の開口内に留まらせることができる。
【００２２】
上記課題を解決する拡開補助具の第６の発明は、上記第５の発明の特定事項に加え、前記差込部を、先端側から後端側の延在方向に対して直交する方向に湾曲して、当該直交方向の断面形状が半円形以下の切欠部を有する不完全な円形になるように形成したことを特徴とするものである。
【００２３】
この発明では、円弧形状の凹形状が割り部側に面する（切欠部が割り部側に位置する）ように差込部を防護管端部の開口内に差し込むことにより、切欠部を介して、その割り部と差込部の凹形状との間に、より大きな隙間が画成される。また、防護管が円筒形状の場合には、開口内面に差込部外面が面接触するように差し込まれて、防護管端部の開口が閉まろうとする力により離脱する方向に滑ってしまうことをより確実に防止することができるとともに、その差込部の内面が防護管の内面のように振舞って電線を挿入状態にすることができる。したがって、その隙間に電線をより容易に位置させることができ、挿入作業をより容易化することができる。
【００２４】
上記課題を解決する拡開補助具の第７の発明は、上記第６の発明の特定事項に加え、前記差込部の先端側と後端側のうち、少なくとも先端側の切欠部を画成するエッジ部を傾斜形状あるいはＲ形状に形成したことを特徴とするものである。
【００２５】
この発明では、差込部を先端側から防護管端部の開口内に差し込む際には、切欠部の反対側から押し込むことにより、その防護管端部の割り部を離隔（拡開）させつつ差し込むことができ、その切欠部側のエッジ部は、その傾斜形状あるいはＲ形状により滑らかに、防護管端部の開口内に進入することができる。したがって、防護管端部の開口内に差込部をスムーズに差し込むことができ、防護管端部内に容易にセットしてその割り部を拡開させる状態に準備することができる。
【００２６】
上記課題を解決する拡開補助具の第８の発明は、上記第１から第７のいずれかの発明の特定事項に加え、前記差込部に連設されて把持可能に形成された把持部を備え、該把持部は、先端側から後端側の延在方向に対して屈曲していることを特徴とするものである。
【００２７】
この発明では、差込部に対して屈曲する把持部を防護管の延長面から離隔する姿勢にして把持し、その差込部を防護管端部の開口内に差し込む作業や開口内から引き抜く作業を行うことができる。したがって、把持部が電線の防護管内への挿入作業の妨げになることがなく、また、その電線が邪魔になることなく把持部を把持して防護管から引き抜くことができる。
【００２８】
上記課題を解決する拡開補助具の第９の発明は、上記第１から第８のいずれかの発明の特定事項に加え、他の道具等に引っ掛ける手段を設けたことを特徴とするものである。
【００２９】
この発明では、遠隔位置から操作する道具を利用する場合などに、その道具に引っ掛けることができる。したがって、不用意に脱落したときにも、落下させてしまうことを回避することができる。
【発明の効果】
【００３０】
本発明によれば、防護管端部の開口内に差込部を差し込んで割り部間を離隔させることができ、その割り部間の差込部との間の隙間に電線を進入させて挿入する作業を開始することができる。
【００３１】
このとき、差込部は、先端側が防護管端部の開口よりも幅狭に形成されている場合には、その防護管端部の開口内に容易に差し込んで拡開させることができる。また、その差込部が湾曲形状に形成されている場合には、防護管端部の割り部との間に大きなスペースを確保して電線の挿入作業をより容易化することができる。この差込部が平行な側辺や外面を有することにより、離脱方向に滑ることを回避して防護管端部の開口内に差込部を留まらせることができ、押さえることなく、防護管内に電線を挿入する作業を行うことができる。この差込部に屈曲する把持部を連設することにより、邪魔になることなく、その把持部を掴んで防護管端部の開口内に着脱することができる。さらに、遠隔位置から操作する道具に引掛可能にすることにより、安全性を確保することができる。
【００３２】
したがって、防護管内に電線を容易に進入させることができ、防護管の割り部間を拡開させて電線を内装状態に挿入する作業をスムーズに開始可能に補助することができる。さらに、両端部に差込部を差し込むことにより、短い防護管の場合には、その両端間の割り部のすべてを拡開させることができ、その割り部間から電線を容易に進入させた後に、その差込部を引き抜くだけで、電線を内装状態に挿入する作業を完了することもできる。
【図面の簡単な説明】
【００３３】
【図１】本発明に係る拡開補助具の第１実施形態の概略全体構成を示す図であり、（ａ）はその正面図、（ｂ）はそのＡ矢視図である。
【図２】その拡開補助具の引っ掛け手段を示す一部拡大概念図である。
【図３】その拡開補助具の使用を説明する図である。
【図４】同時に使用する挿入補助具を示す図であり、その立面図である。
【図５】その挿入補助具の図４を正面図とした場合の図であり、（ａ）は左側面図、（ｂ）は右側面図である。
【図６】その挿入補助具の図４を正面図とした場合の図であり、（ａ）は上面図、（ｂ）は底面図である。
【図７】その挿入補助具の使用を説明する図である。
【図８】その拡開補助具や挿入補助具等を掴む道具を示す平面図である。
【図９】本発明に係る拡開補助具の第２実施形態の概略全体構成を示す図であり、（ａ）はその正面図、（ｂ）はそのＢ−Ｂ断面図である。
【図１０】その拡開補助具の展開図である。
【図１１】その拡開補助具の使用を説明する図である。
【図１２】その拡開補助具や挿入補助具により防護管内に挿入する電線を示す立面図である。
【図１３】その拡開補助具や挿入補助具により電線に被せる防護管を示す図であり、（ａ）はその平面図、（ｂ）はその縦断面図である。
【発明を実施するための形態】
【００３４】
以下、本発明の実施形態を図面に基づいて説明する。図１〜図３は本発明に係る拡開補助具の第１実施形態を説明する図である。
【００３５】
図１および図２において、拡開補助具４０は、例えば、図１２に示す電柱１０１の上部に設置されたトランス１０２の電線Ｄに、電力供給を止めることなく、図１３に示す防護管１０３を遠隔位置から被せる作業を行う際に、図４〜図７に示す挿入補助具、および、図８に示す掴む道具と共に用いることにより、その作業を容易化するように補助するものである。
【００３６】
ここで、防護管１０３は、胴体部１０４が自由に屈曲可能な蛇腹状の円筒形状に形成されており、この胴体部１０４の外面の延在方向には、電線Ｄを挿入可能にスリット状の割り部１０５が形成されている。また、防護管１０３の割り部１０５の両側には、内装する電線Ｄからの絶縁性を確保するために外方に延長された脚部１０６が形成されていると共に、その脚部１０６の内側には、風等により内装した電線Ｄから容易に外れてしまわないようにツバ１０７が形成されて互いに組み合う構造になっている。この防護管１０３は、装着する電線Ｄの長さは千差万別であることから、任意の長さに切断して利用する。なお、本実施形態では、蛇腹状筒形状の防護管１０３を一例に説明するが、これに限るものではなく、単なる筒形状の防護管を電線などに被せる作業にも最適に使用することができることはいうまでもない。
【００３７】
拡開補助具４０は、差込部４１と、把持部４２と、引掛紐（引掛手段）４３と、を備えるように形成されており、一枚の板状材料、例えば、円筒状の樹脂材料などから切り出して変形させることにより、あるいは、樹脂成形などすることにより作製されている。
【００３８】
差込部４１は、防護管１０３の端部１０３ａの開口（内径などの最大幅）よりも幅狭に形成された先端部４１ａと、この先端部４１ａに連続する両側辺が徐々に拡大する傾斜部４１ｂと、この傾斜部４１ｂに連続する両側辺が防護管１０３端部１０３ａの開口よりも幅広で延在方向に対して平行になるように形成された後端部４１ｃと、を備えている。この差込部４１の先端部４１ａから後端部４１ｃは、その延在方向に対する直交方向が周方向になるように湾曲する円弧形状に形成されている。
【００３９】
これにより、差込部４１は、先端部４１ａから防護管１０３の端部１０３ａの開口内に差し込まれると、その傾斜部４１ｂが防護管１０３端部１０３ａの内側角部に対して摺動しつつ割り部１０５間を広げる。そして、図３に示すように、この差込部４１は、後端部４１ｃまで差し込まれると、平行な側辺が防護管１０３端部１０３ａの内面に当接する。このため、防護管１０３の割り部１０５が閉まろうとしても、その差込部４１の後端部４１ｃは、抜ける方向に滑ることなく、そのまま防護管１０３の端部１０３ａ内に留まることができ、割り部１０５間を拡開させる状態に維持することができる。この差込部４１は湾曲していることから、拡開する割り部１０５側がその凹形状側になるように差し込むことにより、後述する電線Ｄの挿入作業を開始する際に、その電線Ｄを位置させる空間（隙間）を大きく確保することができ、その挿入作業を容易に開始することができる。
【００４０】
把持部４２は、差込部４１の後端部４１ｃに連設されており、把持可能な面積を有するとともに、その差込部４１の延長方向から湾曲面の外面側に屈曲しており、また、穿孔されている一対の貫通穴４２ａ内に紐を通して引掛紐４３を取り付けることができる。
【００４１】
これにより、把持部４２は、防護管１０３の割り部１０５内に電線Ｄを位置させる際に邪魔になってしまうことがない。また、この把持部４２は、その防護管１０３の端部１０３ａから引き抜く際に電線Ｄが邪魔になることなく把持することができ、例えば、図８に示すような掴む道具、所謂、ヤットコ３０の掴み部３１により掴んで（把持して）引き抜くことができる。このときには、そのヤットコ３０の掴み部３１に引掛紐４３を引っ掛けることにより、滑ってしまった場合にも拡開補助具４０を落下させてしまうことを回避することができる。なお、この把持部４２には、滑り止め用の材料を貼付したり塗布するなどして、作業し易くしても良い。
【００４２】
また、同時に使用する挿入補助具１０は、図４〜図６に示すように、クリップ方式で電線Ｄに着脱することができるように構築されており、一対の本体部材１１と、連結部材１２と、トーションバネ（付勢手段）１３と、複数本のローラ部材１４と、複数本の支柱部材１５と、引掛紐１６と、が組み立てられて作製されている。
【００４３】
本体部材１１は、一対の平板材料をそれぞれ「く」の字に屈曲させる形状に作製されており、その中間角部同士を回動支点として相互に回動自在に連結部材１２により連結されている。この本体部材１１は、連結部材１２を中心にする一端側（図４中における下側）に延在して、クリップとして対象物を挟む挟み部（拡開部材）２１と、連結部材１２を中心にする他端側（図４中における上側）に延在して、この挟み部２１間を離隔させるために摘まむ摘まみ部（延長部材）２２とを備えている。連結部材１２は、軸部材としても機能するように、例えば、汎用品のボルト１２ａおよびナット１２ｂにより構成されており、本体部材１１の両側面に回動軸として貫通し、その本体部材１１同士を回動自在に連結する。トーションバネ１３は、胴体部１３ａ内にこの連結部材１２が貫通するとともに、脚部１３ｂが本体部材１１の摘まみ部２２間に位置するように取り付けられており、その摘まみ部２２間を互いに離隔させる方向に付勢してその弾性力により本体部材１１の挟み部２１間を接近させる。
【００４４】
これにより、本体部材１１は、トーションバネ１３の弾性力に抗して、摘まみ部２２を互いに接近させる方向に摘まむことで挟み部２１間に電線Ｄを位置させることができ、その摘まみ力を開放することにより、その挟み部２１間にトーションバネ１３の弾性力により電線Ｄを挟んだ状態に保持させることができる。同様に、この本体部材１１は、摘まみ部２２を互いに接近させる方向に摘まんで挟み部２１間から電線Ｄを離脱させて取り外すことができる。したがって、図８に示すヤットコ３０の掴み部３１により摘まみ部２２を摘まんで挟み部２１を広げたまま、遠隔位置の電柱１０１上部に設置されたトランス１０２の電線Ｄの近傍まで持って行って、電力供給を止めることなく、その挟み部２１を電線Ｄに簡単に取り付けることができる。また、この挟み部２１は、同様に、摘まみ部２２を再度ヤットコ３０により摘まんで電線Ｄから容易に取り外すことができる。
【００４５】
この一対の本体部材１１の挟み部２１は、一方の側方外方（図４における左側外方）に延長されて互いの外面（拡開面）を近接させる割込み面２１ａと、他方の側面を閉止するように互いに近接する方向に屈曲する閉止面２１ｂとを備えている。この挟み部２１の割込み面２１ａには、先端側の上部（摘まみ部２２に近接する側）に電線Ｄを挟んで位置決めするように円弧状に切り欠かれた上部位置決め部２１ｃが形成される一方、閉止面２１ｂ側には、下部（摘まみ部２２から離隔する側）に電線Ｄを挟んで位置決めするように欠落させて閉止面を開放する下部位置決め部２１ｄが形成されている。
【００４６】
また、この一対の本体部材１１の挟み部２１は、割込み面２１ａの先端から閉止面２１ｂ近傍まで、摘まみ部２２から離隔する側で連結部材１２と平行にリブ形状に突出する案内リブ（案内部）２３が連設されている。
【００４７】
これにより、挟み部２１は、防護管１０３の割り部１０５の間に、先端側が狭められている割込み面２１ａを入口側として差し込んで割り込ませることができ、この割込み面２１ａにより徐々に防護管１０３の割り部１０５の間を離隔させることができる。そして、この挟み部２１は、その割込み面２１ａから連続する外面の拡開面２１ｅにより拡開させた状態を維持しつつ、閉止面２１ｂを出口側としてその防護管１０３の割り部１０５を乗り越えさせて（通過させて）、その割り部１０５を閉じさせることができる。この挟み部２１内に電線Ｄを挟んで保持する場合には、その電線Ｄは、割込み面２１ａの先端側の上部位置決め部２１ｃと、閉止面２１ｂによる下部位置決め部２１ｄとで回転やスライドさせる方向の力が加えられても位置ずれを起こさないように位置決めされており、挟み部２１下部の案内リブ２３に対して斜めに位置決めされている。よって、このときの防護管１０３の内部には、案内リブ２３が位置しており、その案内リブ２３が割り部１０５の内面に対面しつつ摺接（係合）する状態で防護管１０３を案内することができる。ここで、挟み部２１は、位置決め部２１ｃ、２１ｄの２箇所で電線Ｄを挟持するので、その電線Ｄ回り方向には比較的容易に回転させて、作業し易いように取り付け姿勢を調整することができることはいうまでもない。すなわち、ここでいう回転は、防護管１０３を案内する案内リブ２３が電線Ｄと平行になる方向の回転をいう。
【００４８】
さらに、一対の本体部材１１の挟み部２１は、割込み面２１ａから連続する閉止面２１ｂまでの拡開面２１ｅに沿うように（拡開面２１ｅを構成するように）、ローラ部材１４が設けられており、このローラ部材１４は、割り部１０５を拡開されつつ相対移動する防護管１０３のスライド方向を回転方向に一致させるように並列されている。また、この挟み部２１には、ローラ部材１４と同様に、拡開面２１ｅに沿うように、支柱部材１５が設けられており、この支柱部材１５は、ローラ部材１４間に平行になるように並列されている。
【００４９】
この挟み部２１のローラ部材１４は、図５や図６（ｂ）に示すように、割込み面２１ａに連続するとともに、支柱部材１５の間で外周面が出っ張るように外側に配置されており、割込み面２１ａから防護管１０３の割り部１０５を受け取るとともに、その防護管１０３の割り部１０５が支柱部材１５に摺接しないように受け流す。これにより、防護管１０３は、大きく拡開された状態でも小さな力で挟み部２１に対して相対移動させることができる。
【００５０】
この挟み部２１の支柱部材１５は、図５（ｂ）や図６（ｂ）に示すように、ローラ部材１４よりも内側に配置されており、位置決め部２１ｃ、２１ｄに位置決め保持されている電線Ｄを同時に挟持して保持することができる。これにより、挟み部２１は、位置決め部２１ｃ、２１ｄで電線Ｄを位置決めするのに加えて、支柱部材１５が電線Ｄの延在方向の２箇所で回転したり移動しないように挟持して位置決め保持することができる。
【００５１】
なお、一対の本体部材１１の摘まみ部２２には、外面側に滑り止め用のゴム材料が貼り付けられており、また、他の道具等に引っ掛けておくことができる引掛紐１６が取り付けられている。これにより、摘まみ部２２は、図８に示すヤットコ３０を用いて滑らないように摘まんで電線Ｄに挟み部２１を着脱することができ、また、念のために引掛紐１６をそのヤットコ３０の掴み部３１内に引っ掛けておくことにより、滑ってしまった場合にも挿入補助具１０を落下させてしまうことを回避することができる。
【００５２】
したがって、図８に示すヤットコ３０により防護管１０３の胴体部１０４を掴んで割り部１０５間に端部１０３ａ側から挟み部２１の割込み面２１ａを差し込んで閉止面２１ｂ側に向かって相対移動させると、図７に示すように、その防護管１０３の割り部１０５間を拡開させつつローラ部材１４により小さな力でスムーズに送ってスライドさせることができる。この防護管１０３は、割り部１０５の内面が割込み面２１ａから閉止面２１ｂ側に向かうほど電線Ｄに接近する案内リブ２３に摺接することにより、離脱することを制限されつつ案内されることによって、その割り部１０５が挟み部２１を乗り越えて閉じたときには、沿う位置にあった電線Ｄが内装する状態になる。
【００５３】
このときに、図３に示すように、防護管１０３は、拡開補助具４０の差込部４１を端部１０３ａ内に差し込んで割り部１０５間を拡開させた状態に準備しておくことにより、電線Ｄに取り付けた挿入補助具１０に接近させて、その拡開する割り部１０５間に挟み部２１の割り込み面２１ａから割り込ませることができる。この防護管１０３端部１０３ａの割り部１０５は拡開補助具４０により拡開されており、ツバ１０７も互いに離隔しているので、挿入補助具１０の挟み部２１の割り込み面２１ａから容易に割り込ませることができる。
【００５４】
この結果、防護管１０３の割り部１０５の内面側からツバ１０７を取り除くことなく、また、その割り部１０５を人手により拡開させたり電線Ｄを押し込むなどの無理な作業を行うことなく、防護管１０３の割り部１０５間に電線Ｄを容易に進入させて内装する状態に挿入することができる。
【００５５】
ここで、ヤットコ３０は、挿入補助具１０の摘まみ部２２を摘まんだり防護管１０３の胴体部１０４や拡開補助具４０の把持部４２を掴む掴み部３１と、作業者が把持して掴み部３１を電線Ｄの近傍に持っていく支持棒３５と、掴み部３１を動作させる力を伝達する伝達棒３６と、作業者の操作を伝達棒３６に伝えて掴み部３１を動作させるハンドル３７と、挿入補助具１０側からなどの水分を滴下させる傘カバー３８と、電線Ｄからの絶縁性を考慮して安全に作業を行い得る限界位置を示す傘カバー３９とを備えており、概略全体をプラスチックやゴム材料などの絶縁材料で作製されて絶縁性が確保されている。
【００５６】
簡単に説明すると、ヤットコ３０の掴み部３１は、円弧形状に形成されて支持棒３５に固設されている不動部材３２と、同様に円弧形状に形成されて伝達棒３６に連結されているとともに不動部材３２側の回動軸３２ａを中心に回動自在に軸支されている可動部材３３とを備えている。このヤットコ３０は、作業者が支持棒３５およびハンドル３７を掴むと伝達棒３６が引かれて掴み部３１の可動部材３３が不動部材３２に接近するように回動して挿入補助具１０や拡開補助具４０や防護管１０３などを掴むことができる。なお、この掴み部３１の可動部材３３は、不図示のスプリングなどの弾性材料により不動部材３２から離隔する方向に付勢されている。
【００５７】
このように本実施形態においては、防護管１０３の割り部１０５を挿入補助具１０により拡開させて、その防護管１０３内に電線Ｄを内装状態に挿入する作業を行う際に、その作業を補助する道具として使用することができる。すなわち、その防護管１０３の端部１０３ａの開口内に差込部４１を差し込むだけで割り部１０５間を離隔させて拡開させることができ、その割り部１０５間との間に確保された隙間から電線Ｄや挿入補助具１０の挟み部２１の割り込み面２１ａを進入させる作業を開始することができる。
【００５８】
したがって、防護管１０３内に電線Ｄを挿入する作業をスムーズに開始することができるように補助することができ、防護管１０３内への電線Ｄを挿入する作業を容易にすることができる。
【００５９】
次に、図９〜図１１は本発明に係る拡開補助具の第２実施形態を説明する図である。なお、本実施形態は、上述実施形態と略同様に構成されているので、同様な構成には同一の符号を付して特徴部分を説明する。
【００６０】
図９において、拡開補助具５０は、上述実施形態の拡開補助具４０と同様に、例えば、図１２に示す電柱１０１の上部に設置されたトランス１０２の電線Ｄに、電力供給を止めることなく、図１３に示す防護管１０３を遠隔位置から被せる作業を行う際に、図８に示す掴む道具と共に用いることにより、その作業を容易化するように補助するものである。
【００６１】
拡開補助具５０は、上述実施形態の差込部４１に代わる差込部５１に、把持部４２と、引掛紐４３とが設けられており、拡開補助具４０と同様に、一枚の板状材料、例えば、円筒状の樹脂材料などから切り出して変形させることにより、あるいは、樹脂成形などすることにより作製されている。
【００６２】
差込部５１は、防護管１０３が割り部１０５を有する概略円筒形状に形成されているのに対して、その延在方向に対する直交方向への断面形状５１ａが半円形以上連続する不完全な円形（湾曲形状）になるように形成されている。言い換えると、この差込部５１は、その断面形状５１ａの平行な端辺５１ｂ間に挟まれている切欠部５１ｃが半円形以下の間隔で先端側から後端側に連続するように形成されている。
【００６３】
また、差込部５１は、必要なだけ割り部１０５を拡開させた状態の防護管１０３の内径程度の外径になるように形成されている。すなわち、この差込部５１は、先端側から後端側まで、防護管１０３の端部１０３ａの開口における内径（最大の内面間隔）よりも大きく均等な外径（外面間隔）を有するように形成されている。
【００６４】
さらに、この差込部５１は、図１０の展開図に示すように、切欠部５１ｃを画成する端辺５１ｂの先端側と後端側の双方のエッジ部５１ｄがＲ形状（傾斜形状でもよい）に形成されている。
【００６５】
これにより、差込部５１は、防護管１０３の端部１０３ａの開口内に、先端側の切欠部５１ｃの反対側をその斜め方向から押し込むことにより、その差込部５１の先端側の円弧形状の縁が防護管１０３端部１０３ａの内側角部に対して摺動しつつ割り部１０５間を広げるように容易に差し込むことができる。このとき、差込部５１の切欠部５１ｃ側では、Ｒ形状のエッジ部５１ｄが滑らかにその防護管１０３の端部１０３ａの開口内に進入してスムーズに後端側まで差し込むことができる。
【００６６】
この差込部５１は、防護管１０３端部１０３ａの開口内に後端側まで差し込まれると、その内面に相似形状の外面（同一径の外周面）が当接する。このため、防護管１０３の割り部１０５が閉まろうとしても、その差込部５１は、抜ける方向に滑ることなく、そのまま防護管１０３の端部１０３ａ内に留まることができ、割り部１０５間を拡開させる状態に維持することができる。この差込部５１は概略円形状に湾曲していることから、拡開する割り部１０５側がその凹形状側（切欠部５１ｃ側）になるように差し込むことにより、電線Ｄを位置させる空間（隙間）を防護管１０３の内面と同等程度に大きく確保することができ、上述実施形態と同様に挿入補助具１０を用いての電線Ｄの挿入作業を容易に開始することができる。
【００６７】
その一方で、図１１に示すように、この拡開補助具５０は、短尺な防護管１０３の両端部１０３ａ内に差込部５１を差し込んで割り部１０５を拡開させる状態にすると、その端部１０３ａ間の割り部１０５を完全に離隔（拡開）する状態にすることができる。すなわち、図８に示すヤットコ３０によりその防護管１０３の胴体部１０４を掴んで割り部１０５間にそのまま電線Ｄを内装状態に挿入した後に、拡開補助具４０の把持部４２をヤットコ３０により掴んで（把持して）引き抜くことにより、電線Ｄの挿入作業を完了することもできる。なお、上述実施形態の拡開補助具４０を利用して同様の電線Ｄの挿入作業を行ってもよいが、ヤットコ３０により防護管１０３の胴体部１０４を掴む際に、拡開補助具５０の方が拡開補助具４０よりも抜け辛く適している。
【００６８】
この結果、防護管１０３の割り部１０５の内面側からツバ１０７を取り除くことなく、また、その割り部１０５を人手により拡開させたり電線Ｄを押し込むなどの無理な作業を行うことなく、防護管１０３の割り部１０５間に電線Ｄを容易に進入させて内装する状態に挿入することができる。
【００６９】
このように本実施形態においては、上述実施形態と同様の作用効果に加えて、短尺な防護管１０３の場合には、挿入補助具１０を用いることなく、その防護管１０３内に電線Ｄを容易に挿入して内装状態にする作業を補助することができる。
【産業上の利用可能性】
【００７０】
これまで本発明の一実施形態について説明したが、本発明は上述の実施形態に限定されず、その技術的思想の範囲内において種々異なる形態にて実施されてよいことはいうまでもない。
【符号の説明】
【００７１】
１０        挿入補助具
１１        本体部材
１２        連結部材
１３        トーションバネ
１４        ローラ部材
１５        支柱部材
１６        引掛紐
２１        挟み部
２１ａ        割込み面
２２        摘まみ部
２３        案内リブ
３０        ヤットコ
３１        掴み部
３７        ハンドル
４０、５０        拡開補助具
４１、５１        差込部
４１ａ        先端部
４１ｂ        傾斜部
４１ｃ        後端部
４２        把持部
４３        引掛紐
５１ｂ        端辺
５１ｃ        切欠部
５１ｄ        エッジ部
１０３        防護管
１０４        胴体部
１０５        割り部
Ｄ        電線
【図１】
0004684336.tif 000002
【図２】
0004684336.tif 000003
【図３】
0004684336.tif 000004
【図４】
0004684336.tif 000005
【図５】
0004684336.tif 000006
【図６】
0004684336.tif 000007
【図７】
0004684336.tif 000008
【図８】
0004684336.tif 000009
【図９】
0004684336.tif 000010
【図１０】
0004684336.tif 000011
【図１１】
0004684336.tif 000012
【図１２】
0004684336.tif 000013
【図１３】
0004684336.tif 000014